(57)【要約】【課題】廃棄物を収納すると共に、廃棄物の一部を燃焼させつつ燃焼熱により廃棄物の残部を乾留して可燃性ガスを生じさせる乾留ガス化炉であって、乾留ガス化炉内の下部に熱風を吹き込んで廃棄物に着火する着火手段６を備えるものにおいて、着火手段の個数をできるだけ減らして、且つ、火床の生成を促進できるようにする。【解決手段】着火手段６は、炉内の下部に熱風を乾留ガス化炉１の周壁部１ａの接線方向から吹き込むように配置される。周壁部１ａの内面に、炉底部に隣接する部分に位置させて、着火手段６による熱風の吹き込み箇所から周方向にのびるアンダーカット部１８が形成される。【選択図】図２
2010095656.tif 000002
【特許請求の範囲】
【請求項１】
廃棄物を収納すると共に、廃棄物の一部を燃焼させつつ燃焼熱により廃棄物の残部を乾留して可燃性ガスを生じさせる乾留ガス化炉であって、乾留ガス化炉の下部に熱風を吹き込んで廃棄物に着火する着火手段を備えるものにおいて、
着火手段は、乾留ガス化炉内の下部に熱風を乾留ガス化炉の周壁部の接線方向から吹き込むように配置され、
乾留ガス化炉の周壁部の内面に、乾留ガス化炉の炉底部に隣接する部分に位置させて、着火手段による熱風の吹き込み箇所から周方向にのびるアンダーカット部が形成されることを特徴とする乾留ガス化炉。
【請求項２】
前記着火手段は、乾留ガス化炉の周壁部の周囲に点対称の位置関係で一対に設けられ、前記アンダーカット部は、各着火手段による熱風の吹き込み箇所から周方向に半周に亘ってのびるように点対称の位置関係で一対に設けられることを特徴とする請求項１記載の乾留ガス化炉。
【請求項３】
前記着火手段は、熱風を前記接線方向から斜め下向きに吹き込むように配置されることを特徴とする請求項１又は２記載の乾留ガス化炉。
【発明の詳細な説明】
【技術分野】
【０００１】
本発明は、廃タイヤ等の廃棄物を収納すると共に、廃棄物の一部を燃焼させつつ燃焼熱により廃棄物の残部を乾留して可燃性ガスを生じさせる乾留ガス化炉に関する。
【背景技術】
【０００２】
従来、この種の乾留ガス化炉は、乾留ガス化炉内の下部に燃焼ガスから成る熱風を吹き込んで廃棄物に着火する着火バーナを備えている（例えば、特許文献１参照）。このもので、着火バーナは、乾留ガス化炉の周壁部の径方向から炉内に熱風を吹き込むように配置されている。そして、大型の乾留ガス化炉では、着火バーナを周壁部の周囲複数箇所、例えば、４箇所に配置している。また、このものでは、乾留ガス化炉で発生した可燃性ガスを燃焼させる燃焼炉を設けている。燃焼炉は、炉内に燃焼炎を吹き込む助燃バーナを備えている。
【０００３】
ところで、廃棄物の焼却処理によるダイオキシン類の排出を防止するためには、廃棄物を８００℃以上の温度に２秒以上滞留させて、生成したダイオキシン類を完全に熱分解させることが有効とされている。そこで、廃棄物の着火で発生した可燃性ガスを助燃バーナを燃焼させつつ燃焼炉で燃焼させ、可燃性ガスのみの燃焼で燃焼炉内の温度が８００℃以上に維持できるようになったときに、助燃バーナの燃焼を停止するようにしている。
【０００４】
ここで、助燃バーナの燃焼時間を短縮して燃料消費量を低減するには、乾留ガス化炉内の下層部の廃棄物に広範囲に亘って着火して、着火した廃棄物からの火移りにより早期に火床を生成し、可燃性ガスの発生量を早期に増加させる必要がある。また、廃棄物は最終的に灰化されるが、着火から灰化完了までのトータル運転時間を短縮する上でも火床の生成を促進する必要がある。
【０００５】
上記従来例のように着火バーナ（着火手段）を複数設ければ、乾留ガス化炉内の下層部の廃棄物に周方向複数箇所で同時に着火させることができ、火床が早期に生成される。然し、このように着火手段の個数を多くしたのでは、設備費が高くなると共に、着火手段のエネルギー消費量が増す。
【特許文献１】特許第２５３５２７４号公報
【発明の開示】
【発明が解決しようとする課題】
【０００６】
本発明は、以上の点に鑑み、着火手段の個数をできるだけ減らして、且つ、火床を早期に生成できるようにした乾留ガス化炉を提供することをその課題としている。
【課題を解決するための手段】
【０００７】
上記課題を解決するために、本発明は、廃棄物を収納すると共に、廃棄物の一部を燃焼させつつ燃焼熱により廃棄物の残部を乾留して可燃性ガスを生じさせる乾留ガス化炉であって、乾留ガス化炉内の下部に熱風を吹き込んで廃棄物に着火する着火手段を備えるものにおいて、着火手段は、乾留ガス化炉内の下部に熱風を乾留ガス化炉の周壁部の接線方向から吹き込むように配置され、乾留ガス化炉の周壁部の内面に、乾留ガス化炉の炉底部に隣接する部分に位置させて、着火手段による熱風の吹き込み箇所から周方向にのびるアンダーカット部が形成されることを特徴とする。
【０００８】
本発明によれば、アンダーカット部により周壁部の炉底部に隣接する部分に廃棄物が入り込まない隙間が形成される。そして、着火手段による熱風がアンダーカット部に沿って炉内を旋回し、下層部の廃棄物に周方向広範囲に亘り着火する。従って、１個の着火手段で着火できる範囲が広がり、着火手段の個数が少なくても、火床が早期に生成される。
【０００９】
例えば、着火手段が、乾留ガス化炉の周壁部の周囲に点対称の位置関係で一対に設けられ、アンダーカット部が、各着火手段による熱風の吹き込み箇所から周方向に半周に亘ってのびるように点対称の位置関係で一対に設けられていれば、下層部の廃棄物に略全周に亘って着火させることができる。その結果、４個の着火手段を用いた従来例のものと同等以上の早さで火床が生成される。
【００１０】
また、本発明において、着火手段は、熱風を前記接線方向から斜め下向きに吹き込むように配置されることが望ましい。これによれば、熱風が上方に拡散することなく、周壁部の炉底部に隣接する部分に形成したアンダーカット部に効率良く導かれ、下層部の廃棄物に周方向広範囲に亘り着火することができる。
【発明を実施するための最良の形態】
【００１１】
図１を参照して、１は本発明の実施形態の乾留ガス化炉を示している。乾留ガス化炉１は、廃タイヤ等の廃棄物を収納し、廃棄物の一部を燃焼させつつ燃焼熱により廃棄物の残部を乾留して可燃性ガスを生じさせるものである。そして、乾留ガス化炉１と、乾留ガス化炉１で発生した可燃性ガスを燃焼する燃焼炉２とで乾留ガス化焼却装置を構成している。
【００１２】
乾留ガス化炉１の上面部分には、開閉自在な扉３ａを有する投入口３が形成され、該投入口３から廃棄物が乾留ガス化炉１内に投入される。乾留ガス化炉１の周壁部１ａには、冷却構造としてのウォータージャケット４が形成されている。また、乾留ガス化炉１は、図２、図３に示す如く、周壁部の下部に形成した吹き込み口５に臨む着火手段たる着火バーナ６と、乾留ガス化炉１内に炉底部１ｂから酸素を供給する酸素供給手段７とを備える。吹き込み口５の外端には、アクチュエータ５ａにより開閉されるシャッター５ｂが設けられている。そして、シャッター５ｂを開いた状態で着火バーナ６に点火し、該バーナ６の燃焼ガスから成る熱風を吹き込み口５を介して乾留ガス化炉１内の下部に吹き込み、廃棄物に着火させるようにしている。
【００１３】
乾留ガス化炉１は、酸素供給手段７の構成要素として、乾留ガス化炉１の炉底部１ｂの下側に設けた空室８と、炉底部１ｂの全域に亘って多数形成した、空室８に連通する給気孔９とを備えている。そして、送風機１０からの酸素（空気）を調整弁１１を介して空室８に送り、空室８から給気孔９を介して乾留ガス化炉１内に酸素を供給するようにしている。尚、給気孔９の上端にはノズル９ａが装着されている。また、炉底部１ｂは、耐火物層１２とその下側の冷却水層１３とで構成されている。
【００１４】
乾留ガス化炉１の周壁部１ａの上部にはガス取出し口１４が形成されている。そして、乾留ガス化炉１内での廃棄物の乾留により発生した可燃性ガスをガス取出し口１４に接続したガス管１５を介して燃焼炉２に導入している。燃焼炉２には、送風機１０から調整弁１６を介して酸素が供給される。そして、乾留ガス化炉１からの可燃性ガスと酸素とを燃焼炉２内で混合させて燃焼させるようにしている。
【００１５】
また、燃焼炉２は、燃焼炉２内に燃焼炎を吹出す助燃バーナ１７を備えている。そして、助燃バーナ１７の燃焼により燃焼炉２内の温度をダイオキシン類の熱分解が可能な８００℃以上に上昇させる暖機運転を行い、暖機運転後に着火バーナ６の燃焼により乾留ガス化炉１内の廃棄物に着火し、廃棄物の着火後に発生する可燃性ガスを助燃バーナ１７を燃焼させつつ燃焼炉２で燃焼させ、可燃性ガスのみの燃焼で燃焼炉２内の温度が８００℃以上に維持できるようになったときに、助燃バーナ１７の燃焼を停止するようにしている。
【００１６】
ここで、助燃バーナ１７の燃焼時間を短縮して燃料消費量を低減するには、乾留ガス化炉１内の下層部の廃棄物に広範囲に亘って着火して、着火した廃棄物からの火移りにより早期に火床を生成し、可燃性ガスの発生量を早期に増加させる必要がある。廃棄物への着火から灰化完了までのトータル運転時間を短縮する上でも、火床を早期に生成する必要がある。
【００１７】
この場合、着火バーナ６の個数を多くして、火床の生成を早めることが考えられる。然し、これでは、設備費が高くなると共に、着火バーナ６の燃焼消費量が増加してしまう。
【００１８】
そこで、本実施形態では、着火バーナ６を、図２に示す如く、乾留ガス化炉１内の下部に熱風を乾留ガス化炉１の周壁部１ａの接線方向から吹き込むように配置している。具体的には、吹き込み口５を周壁部１ａの接線方向に長手のものとし、吹き込み口５の長手方向に沿って熱風が炉内に吹き込まれるように着火バーナ６を配置している。また、乾留ガス化炉１の周壁部１ａの内面に、乾留ガス化炉１の炉底部１ｂに隣接する部分にさせて、着火バーナ６による熱風の吹き込み箇所（吹き込み口５の近傍箇所）から周方向にのびる図４に明示す如きアンダーカット部１８を形成している。
【００１９】
ここで、アンダーカット部１８は、その高さが１００ｍｍ程度であって、廃棄物が入り難い。そのため、着火バーナ６による熱風が、廃棄物に邪魔されることなく、アンダーカット部１８に沿って炉内を旋回し、下層部の廃棄物に周方向広範囲に亘り着火する。尚、周壁部１ａの厚さは２００ｍｍ程度であって、アンダーカット部１８の周壁部１ａ内面からの凹入量は１００ｍｍ程度である。
【００２０】
また、本実施形態では、図２に示す如く、着火バーナ６を、乾留ガス化炉１の周壁部１ａの周囲に点対称の位置関係で一対に設けると共に、アンダーカット部１６を、各着火バーナ６による熱風の吹き込み箇所から周方向に半周に亘ってのびるように点対称の位置関係で一対に設けている。これによれば、下層部の廃棄物に略全周に亘って着火させることができる。
【００２１】
更に、本実施形態では、吹き込み口５を炉内に向かって下方に傾斜させ、着火バーナ６による熱風が炉内に斜め下向きに吹き込まれるようにしている。これによれば、熱風が上方に拡散することなく、周壁部１ａの炉底部１ｂに隣接する部分に形成したアンダーカット部１６に効率良く導かれる。そのため、下層部の廃棄物に効率良く着火させることができる。
【００２２】
図示しないが、周壁部１ａの下部の周方向複数箇所には温度センサが配置されており、これら温度センサの検出温度が上昇して着火が確認されると、着火バーナ６の燃焼が停止される。ここで、酸素供給手段７からの酸素供給量を着火当初から多くすると、火移りしていない領域に供給される酸素が燃焼に寄与しない余剰酸素となり、この余剰酸素が可燃性ガスと混合して、乾留ガス化炉１内での異常燃焼を起し易くなる。そこで、酸素供給手段７の調整弁１１は当初小開度（例えば、全開開度の２０％）に絞っておき、その後、酸素供給量を下層部の廃棄物の継続的な部分燃焼に必要な程度に制限しつつ、調整弁１１の開度を段階的に徐々に増大する。火床の生成が完了すると、燃焼熱により中、上層部の廃棄物の乾留が活発化して、乾留により発生する可燃性ガスの量が増える。その結果、可燃性ガスが燃焼炉２で８００℃以上の温度で安定して燃焼するようになり、助燃バーナ１７の燃焼が停止される。
【００２３】
ここで、本実施形態によれば、下層部の廃棄物に略全周に亘って着火させることができるため、４個の着火バーナを用いた従来例のものと同等以上の早さで火床が生成される。従って、可燃性ガスの発生量が早期に増え、助燃バーナ１７の燃焼時間を時間を短縮して、燃料消費量を低減できる。
【００２４】
以上、本発明の実施形態について図面を参照して説明したが、本発明はこれに限定されない。例えば、上記実施形態では、吹き込み口５とアンダーカット部１８が不連続であるが、吹き込み口５をその一部がアンダーカット部１８に連続するように形成することも可能である。また、上記実施形態では、点対称の位置関係で一対の着火バーナ６を設けているが、乾留ガス化炉１が小型であれば、着火バーナ６を１個にしても良い。また、乾留ガス化炉１がより大型のものである場合は、着火バーナ６を３個以上設けても良い。
【００２５】
また、上記実施形態では、着火手段として着火バーナ６を用いているが、電気ヒータガンや電気プラズマガン等の熱風を発生する他の手段で着火手段を構成してもよい。
【図面の簡単な説明】
【００２６】
【図１】本発明の実施形態の乾留ガス化炉を具備する乾留ガス化焼却装置の構成を示す説明図。
【図２】図１のＩＩ−ＩＩ線で切断した実施形態の乾留ガス化炉の切断平面図。
【図３】図２のＩＩＩ−ＩＩＩ線で切断した要部の断面図。
【符号の説明】
【００２７】
１…乾留ガス化炉、６…着火バーナ（着火手段）、１８…アンダーカット部。
【図１】
2010095656.tif 000003
【図２】
2010095656.tif 000004
【図３】
2010095656.tif 000005